(57)【要約】【課題】耳介形状によらず装着性が向上するイヤホンを提供する。【解決手段】本体部（３１）と、本体部（３１）の径方向外方に突出し、本体部（３１）を耳介（６０）の耳甲介腔（６０Ｄ）に装着した装着状態において耳介（６０）の内壁（６５ａ）を当接付勢可能な腕部（Ａ３４５）と、を備えている。本体部（３１）から突出する腕部（Ａ３４５）は、他の部位よりも容易に変形する容易変形部（Ａ６）を有している。【選択図】図１
2019145986.tif 000002
【特許請求の範囲】
【請求項１】
本体部と、
前記本体部の径方向外方に突出し、前記本体部を耳介の耳甲介腔に装着した装着状態において前記耳介の内壁を当接付勢可能な腕部と、
を備え、
前記腕部は、他の部位よりも容易に変形する容易変形部を有しているイヤホン。
【請求項２】
前記容易変形部は、他の部位よりも断面積を小さくする溝部であることを特徴とする請求項１記載のイヤホン。
【請求項３】
前記溝部は、前記装着状態において、開口が頭部側となるように形成されていることを特徴とする請求項２記載のイヤホン。
【請求項４】
前記溝部は、前記装着状態において、開口が前記頭部側とは反対側となるように形成されていることを特徴とする請求項２記載のイヤホン。
【請求項５】
イヤホンの本体部に着脱自在であって、
前記本体部に取り付けられ、前記本体部が耳介の耳甲介腔に装着された装着状態で前記耳介の内壁を当接付勢可能な腕部を備え、
前記腕部は、他の部位よりも容易に変形する容易変形部を有しているサポータ。
【請求項６】
前記容易変形部は、他の部位よりも断面積を小さくする溝部であることを特徴とする請求項５記載のサポータ。
【請求項７】
前記溝部は、前記装着状態において、開口が頭部側となるように形成されていることを特徴とする請求項６記載のサポータ。
【請求項８】
前記溝部は、前記装着状態において、開口が前記頭部側とは反対側となるように形成されていることを特徴とする請求項６記載のサポータ。
【発明の詳細な説明】
【技術分野】
【０００１】
本発明は、イヤホン及びサポータに係る。
【背景技術】
【０００２】
イヤホンにおいて、耳介への装着性を向上させるため、本体から腕状に突出して耳介内の壁に押圧当接する装着補助部を備えたものが知られており、その例が特許文献１に記載されている。特許文献１において装着補助部は係止部が相当する。また、装着補助部はサポータとも称される。
【先行技術文献】
【特許文献】
【０００３】
【特許文献１】特開２００２−０５８０８６号公報
【発明の概要】
【発明が解決しようとする課題】
【０００４】
装着補助部であるサポータは、良好な装着感が得られるように、シリコーンゴムなどによって柔軟性を有して形成される。
しかしながら、サポータは、柔軟性が高いほど、弾性変形しやすくなり耳介内壁への押圧力が小さくなり、イヤホンの装着性向上が図りにくくなる。
また、サポータは、柔軟性が低いほど、弾性変形しにくくなり耳介内壁への押圧力が高まってイヤホンの装着性は向上する一方、装着に伴い耳介が痛くなる虞がある。
さらに、耳介の形状には個人差があるため、サポータの柔軟性を、使用者の耳介形状によらず適合するよう設定することが難しく、イヤホンの耳介への装着性向上のために何らかの工夫が望まれていた。
【０００５】
そこで、本発明が解決しようとする課題は、耳介形状によらず装着性が向上するイヤホン及びサポータを提供することにある。
【課題を解決するための手段】
【０００６】
上記の課題を解決するために、本発明は次の構成を有する。
１）  本体部と、
前記本体部の径方向外方に突出し、前記本体部を耳介の耳甲介腔に装着した装着状態において前記耳介の内壁を当接付勢可能な腕部と、
を備え、
前記腕部は、他の部位よりも容易に変形する容易変形部を有しているイヤホンである。
２）  イヤホンの本体部に着脱自在であって、
前記本体部に取り付けられ、前記本体部が耳介の耳甲介腔に装着された装着状態で前記耳介の内壁を当接付勢可能な腕部を備え、
前記腕部は、他の部位よりも容易に変形する容易変形部を有しているサポータ。
【発明の効果】
【０００７】
本発明によれば、耳介形状によらず装着性が向上する、という効果を奏する。
【図面の簡単な説明】
【０００８】
【図１】図１は、本発明の実施の形態に係るイヤホンの実施例１であるイヤホンＡ５１を示す斜視図である。
【図２】図２は、本発明の実施の形態に係るサポータの実施例１であるサポータＡ１の、イヤホンＡ５１の本体部３１への組み付けを示す組立図である。
【図３】図３は、サポータＡ１を示す斜視図である。
【図４】図４は、イヤホンＡ５１の耳介６０への装着状態を説明するための斜視図である。
【図５】図５は、図４の装着状態を説明するための一部を断面とした側面図である。
【図６】図６は、本発明の実施の形態に係るイヤホンの実施例２であるイヤホンＢ５１を示す斜視図である。
【図７】図７は、本発明の実施の形態に係るサポータの実施例２であるサポータＢ１の、イヤホンＢ５１の本体部３１への組み付けを示す組立図である。
【図８】図８は、サポータＢ１を示す斜視図である。
【図９】図９は、イヤホンＢ５１の耳介６０への装着状態を説明するための斜視図である。
【図１０】図１０は、図９の装着過程を説明するための一部を断面とした側面図である。
【図１１】図１１は、本発明の実施の形態に係るイヤホンの実施例３であるイヤホンＣ５１を示す斜視図である。
【図１２】図１２は、本発明の実施の形態に係るサポータの実施例３であるサポータＣ１の、イヤホンＣ５１の本体部３１への組み付けを示す組立図である。
【図１３】図１３は、サポータＣ１を示す斜視図である。
【図１４】図１４は、イヤホンＣ５１の耳介６０への装着状態を説明するための斜視図である。
【図１５】図１５は、サポータＡ１の変形抵抗力を説明するためのグラフである。
【発明を実施するための形態】
【０００９】
本発明の実施の形態に係るイヤホンを、実施例１〜実施例３のイヤホンＡ５１〜Ｃ５１により説明する。
【００１０】
（実施例１）
図１は、実施例１のイヤホンＡ５１を示す斜視図である。イヤホンＡ５１は、いわゆる耳栓型（カナル型）であって左耳用である。
イヤホンＡ５１は、内部にスピーカユニット３５を収容した略円筒状の本体部３１、及び一端側がスピーカユニット３５に接続されブッシング３２を介して本体部３１から引き出されたコード３３を有する。
本体部３１の一端側には、本体部３１の軸線ＣＬ３１に対して耳介装着時の顔側に傾いて突出する音筒部３１ａが形成されている。
音筒部３１ａの先端には、外耳道に挿入されるイヤーピース３４が着脱自在に取り付けられている。
以下の説明において、軸線ＣＬ３１方向の、音筒部３１ａが突出している側をＩＮ、反対側をＯＵＴと便宜的に称する（図１参照）。
【００１１】
本体部３１は、例えばＰＣ（ポリカーボネート）などの樹脂で形成され、ブッシング３２及びイヤーピース３４は、例えばシリコーンゴムで形成される。
【００１２】
イヤホンＡ５１は、外部の音声再生装置などからコード３３を介して入来した音声信号をスピーカユニット３５により音に変換し、音筒部３１ａの先端から外部に放出する。
【００１３】
本体部３１から突出した音筒部３１ａの根本部分には、サポータＡ１が着脱自在に取り付けられている。サポータＡ１は、本体部３１と一体であってもよいが、ここでは別体の場合を説明する。
サポータＡ１は、本体部３１に周知の着脱構造で装着される。例えば、強嵌合式、スナップフィット式、バヨネット式などである。
【００１４】
次に、サポータＡ１の詳細を、図２〜図４も併せ参照して説明する。
図２は、本体部３１に対するサポータＡ１及びイヤーピース３４の組み付けを示す組立図であり、図３は、サポータＡ１単体の斜視図であり、図４は、イヤホンＡ５１を耳介６０に装着した使用状態を示す図である。
【００１５】
サポータＡ１は、本体部３１に着脱自在に係合する環状の基部Ａ２と、基部Ａ２から基部Ａ２の径方向外方に延び出た腕部Ａ３４５と、を有する。また、腕部Ａ３４５は、根本側から順に根本部Ａ３と中間部Ａ４と先端部Ａ５とを有する。
詳しくは、サポータＡ１を本体部３１に取り付けた状態で、腕部Ａ３４５は、本体部３１の径方向に沿って立ち上がる根本部Ａ３と、根本部Ａ３の外方に向かう端部から使用時に顔側となる方向に概ね９０°屈曲した中間部Ａ４と、中間部Ａ４の外方に向かう端部からほぼ直状に延びる先端部Ａ５と、を有している。
中間部Ａ４の曲率は、耳介６０の対耳輪６６に沿うように設定されている。
【００１６】
サポータＡ１は、例えばシリコーンゴムで形成され、腕部Ａ３４５は、可撓性を有し表面も軟らかい。
【００１７】
サポータＡ１は、腕部Ａ３４５において切り込まれた溝である溝部Ａ６を有する。溝の深さは例えば腕部３４５の厚さの半分程度である。また、図２に示されるように、開口の高さを開口幅Ｗａとする。溝部Ａ６の延在方向及び切り込み方向は、この例において、腕部Ａ３４５における溝部Ａ６が設けられた部位の軸線に直交する方向とされるが、斜交していてもよい。腕部Ａ３４５において、溝部Ａ６は、他の部位よりも同じ曲げ変形力に対し大きく変形する曲げ変形が容易な変形容易部として形成される。
【００１８】
この例において、変形容易部である溝部Ａ６は、二箇所設けられている。具体的には、根本部Ａ３においてＯＵＴ側からＩＮ側に向け切り込まれた溝部Ａ６ａ、及び中間部Ａ４と先端部Ａ５との境界位置近傍においてＩＮ側からＯＵＴ側に向け切り込まれた溝部Ａ６ｂである。
この例において、溝部Ａ６の深さは、腕部Ａ３４５において各溝部Ａ６のある部位の厚さの概ね半分程度とされ、開口幅Ｗａは、厚さの１／８程度とされている。
【００１９】
溝部Ａ６は、他の部位（非溝部）よりも断面積が小さく、この例においては概ね半分となる。従って、腕部Ａ３４５は、撓む場合に非溝部ではなく主に溝部Ａ６が変形して撓む。図１５は、腕部Ａ３４５の溝部Ａ６の部位を、溝部Ａ６を閉じるように撓ませたときの変形量（横軸）と変形抵抗力（縦軸）との関係を示す模式的グラフである。
【００２０】
図１５のグラフに示されるように、変形当初の変形抵抗力は比較的小さく、変形量の増加に伴い変形抵抗力の徐々に増加するが、変形抵抗力は、撓み量が値Ｐになったときに、急激に増大する。
値Ｐ以上の範囲は、溝部Ａ６の開口部が閉じて接触している状態であり（開口幅Ｗａがゼロ）、このときの変形角度は、上述のように溝部Ａ６の深さが腕部Ａ３４５における溝部Ａ６近傍部位の厚さの半分で開口幅Ｗａが厚さの１／８程度の場合、約１５°となる。
【００２１】
このように、サポータＡ１は、溝部Ａ６を有することにより、腕部Ａ３４５の撓み変形において、変形初期の溝部Ａ６が開いている間は小さな力で変形するので変形が容易で、溝部Ａ６が閉じた以降は変形がしにくい、という変形のし易さにおいて２段階の振る舞いをする。
これにより、根本部Ａ３に設けられたＯＵＴ側に開口する溝部Ａ６ａについては、中間部Ａ４が根本部Ａ３に対してＯＵＴ側に相対変形した場合にこの２段階の振る舞いをする。
一方、中間部Ａ４と先端部Ａ５の境界付近に設けられたＩＮ側に開口する溝部Ａ６ｂについては、中間部Ａ４に対し先端部Ａ５がＩＮ側に相対変形した場合にこの２段階の振る舞いをする。
【００２２】
これを念頭に、イヤホンＡ５１の耳介６０への装着を図４及び図５を参照して説明する。図４において、上下前後の各方向を矢印で規定する。
図４は、耳介６０にイヤホンＡ５１を装着して安定する姿勢とした状態を示している。以下、この状態を装着状態と称する。
イヤホンＡ５１は、耳介６０への装着に際し、図２に示されるように、本体部３１にはサポータＡ１を係合装着し、音筒部３１ａにイヤーピース３４を嵌合装着させておく。
【００２３】
イヤホンＡ５１は、装着状態において、ブッシング３２及びコード３３が耳介６０の珠間切痕６０Ｅを通して下方に引き出される姿勢となる。
イヤーピース３４は、図４で不図示の外耳道内に挿入されている。
サポータＡ１の基部Ａ２は、耳介６０の耳甲介腔６０Ｄに収まり、腕部Ａ３４５は、耳甲介腔６０Ｄから耳輪脚６２を超えて上方の耳甲介舟６０Ｃを通り対耳輪下脚６５の後側の内壁６５ａに付勢当接し、先端部Ａ５が耳輪脚６２の内側の内壁６２ａを前方に押すようにして耳介６０内に収められる。
【００２４】
図５は、腕部Ａ３４５が耳輪脚６２を超えている状態を示した一部断面の側面図（後面図）である。
図５に示されるように、イヤホンＡ５１の本体部３１を装着のために指でＩＮ方向に押し込むと、腕部Ａ３４５の根本部Ａ３から中間部Ａ４にかけては耳輪脚６２によりＯＵＴ側に押され変形する（矢印ＤＲａ参照）。
しかし、変形量が増加して溝部Ａ６ａにおけるＰ値に達すると、ＯＵＴ側に開口するよう設けられている溝部Ａ６ａの開口が図５に示されるように閉じて接触し、急激に変形抵抗が増し変形が妨げられる。
【００２５】
一方、図４において、先端部Ａ５は、耳輪脚６２の後側の壁に収められているのでＯＵＴ側への移動が規制されつつ、中間部Ａ４が耳輪脚６２の乗り越えによってＯＵＴ側へ変形しようとする。
この変形量が増加して溝部Ａ６ｂにおけるＰ値に達すると、ＩＮ側に開口するよう設けられている溝部Ａ６ｂが閉じ、急激に変形抵抗が増し変形が妨げられる。
このように、腕部Ａ３４５は、装着において、変形量に応じて溝部Ａ６ａ，Ａ６ｂが閉じて弾性変形しにくい状態となるため、本体部３１を、装着状態でしっかり耳介６０から外れないように維持でき、装着性及び装着感が向上する。
溝部Ａ６ａ，Ａ６ｂがＰ値に達するまでは、実質的に軟らかい弾性変形しやすい状態であるから、腕部Ａ３４５は、種々の耳介形状に適合して耳介内へはめ込まれる。
【００２６】
（実施例２）
図６は、実施例２のイヤホンＢ５１を示す斜視図である。イヤホンＢ５１は、いわゆる耳栓型（カナル型）であって左耳用である。
イヤホンＢ５１は、イヤホンＡ５１におけるサポータＡ１をサポータＢ１に置き換えたものであり、他の部分はイヤホンＡ５１と同じである。そこで、実施例１と異なるサポータＢ１について図６〜図８を参照して説明する。
ＯＵＴ及びＩＮは、実施例１と同じであり、図６に示されるように規定する。
【００２７】
サポータＢ１は、本体部３１に着脱自在に係合する環状の基部Ｂ２と、基部Ｂ２から基部Ｂ２の径方向外方に延び出た腕部Ｂ３４５と、基部Ｂ２における腕部Ｂ３４５の延出位置とは反対側となる周位置に、基部Ｂ２の径方向外方に張り出すように周方向に延在形成された壁部Ｂ７と、を有する。
腕部Ｂ３４５は、サポータＡ１から溝部Ａ６を除いたものであって、根本側から順に根本部Ｂ３と中間部Ｂ４と先端部Ｂ５とを有する。
詳しくは、サポータＢ１を本体部３１に取り付けた状態で、腕部Ｂ３４５は、根本側から本体部３１から径方向外方に延び出る根本部Ｂ３と、根本部Ｂ３の外方に向かう端部から使用時に顔側となる方向に概ね９０°屈曲した中間部Ｂ４と、中間部Ｂ４の外方に向かう端部からほぼ直状に延びる先端部Ｂ５と、を有している。
中間部Ｂ４の曲率は、耳介６０の対耳輪６６に沿うように設定されている。
【００２８】
サポータＢ１は、例えばシリコーンゴムで形成され、腕部Ｂ３４５及び壁部Ｂ７は、可撓性を有し表面も軟らかい。
【００２９】
サポータＢ１は、壁部Ｂ７の根本近傍に、基部Ｂ２に沿って周方向に延びる溝部Ｂ８を有している。溝部Ｂ８は、壁部Ｂ７における他の部位よりも容易に変形する部位（同じ曲げ変形力に対し大きく変形する部位）として形成されている。
溝部Ｂ８は、ＯＵＴ側からＩＮ側に向かって切り込まれており、壁部Ｂ７の厚さの概ね２／３の深さを有し、基部Ｂ２の周方向に沿って壁部Ｂ７の全幅にわたり形成されている。
【００３０】
壁部Ｂ７をＯＵＴ側に倒すように変形させた際の変形抵抗力は、図１５に示される実施例１の溝部Ａ６の場合と同様に、開口が閉じるまでの低抵抗と、閉じた以降の高抵抗との２段階の振る舞いをする。
【００３１】
これを念頭に、イヤホンＢ５１の耳介６０への装着について、図９及び図１０を参照して説明する。上下前後の各方向は図９に示される。
図９は、耳介６０にイヤホンＢ５１を装着して安定する姿勢とした装着状態を示している。
イヤホンＢ５１は、耳介６０への装着に際し、図７に示されるように、本体部３１にはサポータＢ１を係合装着し、音筒部３１ａにイヤーピース３４を嵌合装着させておく。サポータＢ１は、サポータＡ１と同様に、本体部３１に周知の着脱構造で装着される。
【００３２】
サポータＢ１の基部Ｂ２は、耳介６０の耳甲介腔６０Ｄに収まり、腕部Ａ３４５は、耳甲介腔６０Ｄから耳輪脚６２を超えて上方の耳甲介舟６０Ｃを通り対耳輪下脚６５の後側の内壁６５ａに付勢当接し、先端部Ｂ５が耳輪脚６２の内側の内壁６２ａを前方に押すように収められる。
【００３３】
一方、壁部Ｂ７は、耳介６０における下部の対耳珠６７を超えてその内側の耳甲介腔６０Ｄに収められる。
この装着において、壁部Ｂ７は、対耳珠６７を乗り越える際に、図１０に示されるように、ＯＵＴ側に倒されるように変形するが、溝部Ｂ８の開口が閉じ、変形抵抗が急増するため、弾性変形しにくい状態となる。
そのため、腕部Ｂ３４５は、上方に押されて対耳輪下脚６５の内壁６５ａ（下側の壁）しっかり押圧し、耳介形状によらず良好な収容位置が確保される。
また、壁部Ｂ７は、対耳珠６７を乗り越えて耳甲介腔６０Ｄに収まった後も、腕部Ｂ３４５に付与される対耳輪下脚６５の内壁からの反発力に基づいて下方に押されるが、溝部Ｂ８が閉じて弾性変形しにくい状態になるため、安定した姿勢で装着される。
このように、イヤホンＢ５１は、サポータＢ１が壁部Ｂ７を有することにより、種々の形状の耳介に適合して装着性が向上する。
【００３４】
（実施例３）
図１１は、実施例３のイヤホンＣ５１を示す斜視図である。イヤホンＣ５１は、いわゆる耳栓型（カナル型）であって左耳用である。
イヤホンＣ５１は、イヤホンＡ５１におけるサポータＡ１をサポータＣ１に置き換えたものであり、他の部分はイヤホンＣ５１と同じである。そこで、実施例１と異なるサポータＣ１について図１１〜図１４を参照して説明する。
ＯＵＴ及びＩＮは、実施例１と同じであり、図１１に示されるように規定する。
【００３５】
サポータＣ１は、本体部３１に着脱自在に係合する環状の基部Ｃ２と、基部Ｃ２から基部Ｃ２の径方向外方に延び出た腕部Ｃ３４５と、を有する。また、腕部Ｃ３４５は、根本側から順に根本部Ｃ３と中間部Ｃ４と先端部Ｃ５とを有する。
詳しくは、サポータＣ１を本体部３１に取り付けた状態で、腕部Ｃ３４５は、本体部３１から径方向外方に延び出る根本部Ｃ３と、根本部Ｃ３に接続して使用時に顔側となる方向に緩やかに湾曲する中間部Ｃ４と、中間部Ｃ４に接続し、先端側が本体部３１を向くように逆Ｕ字状に屈曲した先端部Ｃ５と、を有している。
先端部Ｃ５の曲率は、耳介６０の耳輪６３の内側の壁に沿うように設定されている。
【００３６】
サポータＣ１は、例えばシリコーンゴムで形成され、腕部Ｃ３４５は可撓性を有し表面も軟らかい。
【００３７】
サポータＣ１は、腕部Ｃ３４５において切り込まれた溝である溝部Ｃ６を有する。溝部Ｃ６は、腕部Ｃ３４５における他の部位よりも容易に変形する部位（同じ曲げ変形力に対し大きく変形する部位）として形成されている。
溝の深さは例えば腕部Ｃ３４５の厚さの半分程度である。また、図１３に示されるように、開口の幅を開口幅Ｗｃとする。溝部Ｃ６の延在方向及び切り込み方向は、この例において、腕部Ｃ３４５における溝部Ｃ６が設けられた部位の軸線に直交する方向とされるが、斜交していてもよい。
【００３８】
この例において、溝部Ｃ６は、三箇所設けられている。具体的には、基部Ｃ２側から、根本部Ｃ３においてＯＵＴ側からＩＮ側に向け切り込まれた溝部Ｃ６ａ、並びに、中間部Ｃ４においてＩＮ側からＯＵＴ側に向け切り込まれた溝部Ｃ６ｂ及びＯＵＴ側からＩＮ側に向け切り込まれた溝部Ｃ６ｃである。
この例において、溝部Ｃ６の深さは、腕部Ｃ３４５における各溝部Ｃ６近傍部位の厚さの概ね半分程度とされ、開口幅Ｗｃは、厚さの１／８程度とされている。
【００３９】
溝部Ｃ６を開口側に倒すように変形させた際の変形抵抗力は、図１５に示される実施例１の溝部Ａ６と同様に、溝部Ｃ６の開口が閉じるまでの低抵抗力と、閉じた以降の高抵抗力との２段階の振る舞いをする。
【００４０】
これを念頭に、イヤホンＣ５１の耳介６０への装着について、図１４を主に参照して説明する。図１４において、上下前後の各方向は矢印で示される。図１４は、耳介６０にイヤホンＣ５１を装着して安定する姿勢とした装着状態を示している。
イヤホンＣ５１は、耳介６０への装着に際し、図１２に示されるように、本体部３１にはサポータＣ１を係合装着し、音筒部３１ａにイヤーピース３４を嵌合装着させておく。
【００４１】
イヤホンＣ５１は、装着状態において、ブッシング３２及びコード３３が耳介６０の珠間切痕６０Ｅを通して下方に引き出される姿勢となる。
イヤーピース３４は、図１４で不図示であるが、外耳道内に挿入されている。
サポータＣ１の基部Ｃ２は、耳介６０の耳甲介腔６０Ｄに収まり、腕部Ｃ３４５は、耳甲介腔６０Ｄから耳輪脚６２及び対耳輪６６を超えて上方の舟状窩６０Ａに至り、先端部Ｃ５が、耳輪６３の内側の内壁６３ａに沿って湾曲して耳輪脚６２に達することで耳介６０内に収められる。
【００４２】
ここで、腕部Ｃ３４５の根本部Ｃ３から中間部Ｃ４にかけては耳輪脚６２によりＯＵＴ側に押され変形する。
これにより、溝部Ｃ６ａは、変形量がＰ値に達して開口が閉じ、変形抵抗が増して弾性変形しにくい状態となる。一方、溝部Ｃ６ｃは、先端部Ｃ５が耳輪６３の内側の壁に沿って湾曲し耳輪脚６２に達して踏ん張ることから、開口が閉じる方向に変形し、変形量がＰ値に達して開口が閉じると、変形抵抗がまして弾性変形しにくい状態となる。
従って、腕部Ｃ３４５は、耳介６０への装着において、変形量に応じて弾性変形しにくい状態となり、本体部３１を、装着状態でしっかり耳介６０から外れないように維持できる。
【００４３】
また、腕部Ｃ３４５の溝部Ｃ６ｃは、耳介６０の個人差による舟状窩６０Ａと腕部Ｃ３４５の対耳輪６６との高さの差が小さい場合などにおいて、腕部Ｃ３４５の溝部Ｃ６ｃの閉じる方向の過剰な変形を、上述の２段階の振る舞いにより規制する。
このように、腕部Ｃ３４５は、装着において、変形量に応じて溝部Ｃ６ａ〜Ｃ６ｃが閉じて弾性変形しにくい状態となるため、本体部３１を、装着状態でしっかり耳介６０から外れないように維持でき、装着性及び装着感が向上する。
溝部Ｃ６ａ〜Ｃ６ｃがＰ値に達するまでは、実質的に軟らかい弾性変形しやすい状態であるから、腕部Ｃ３４５は、種々の耳介形状に適合して耳介内へはめ込まれる。
【００４４】
上述のイヤホンＡ５１〜Ｃ５１は、左耳用として説明したが、形状を前後方向に反転させ、上下軸に対する対称形状とすることで、右耳用にできる。
【００４５】
以上詳述した実施例は、上述の構成に限定されるものではなく、本発明の要旨を逸脱しない範囲において変形した変形例としてもよい。
【００４６】
サポータＡ１〜Ｃ１は、本体部３１と一体で形成されていてもよい。
実施例１〜３のように、サポータＡ１〜Ｃ１を交換可能とすることで、使用用途や使用者の好みに応じてサポータを選択できるので利便性が向上する。
イヤホンＡ５１〜Ａ５３は、カナル型に限定されるものではない。音筒部３１ａ及びイヤーピース３４を備えずに本体部３１のみを耳介６０内に収めて使用するいわゆるインナーイヤー型であってもよい。
実施例２の壁部Ｂ７は、実施例１及び実施例３に適用してもよい。
容易変形部の例として断面積を他の部位よりも小さくする溝部Ａ６，Ｂ６，Ｃ６を説明したが、これらに限定されない。例えば、他の部位よりも軟らかい材料で形成した部分としてもよい。
【符号の説明】
【００４７】
Ａ１  サポータ
Ａ２  基部、    Ａ３４５  腕部、    Ａ３  根本部、    Ａ４  中間部
Ａ５  先端部、    Ａ６，Ａ６ａ，Ａ６ｂ  溝部
Ａ５１，Ｂ５１，Ｃ５１  イヤホン
Ｂ１  サポータ
Ｂ２  基部、    Ｂ３４５  腕部、    Ｂ３  根本部、    Ｂ４  中間部
Ｂ５  先端部、    Ｂ３４５  腕部、    Ｂ７  壁部、    Ｂ８  溝部
Ｃ１  サポータ
Ｃ２  基部、    Ｃ３４５  腕部、    Ｃ３  根本部、    Ｃ４  中間部
Ｃ５  先端部、    Ｃ６，Ｃ６ａ，Ｃ６ｂ，Ｃ６ｃ溝部
ＣＬ３１  軸線
Ｗａ，Ｗｃ  開口幅
３１  本体部、    ３１ａ  音筒部
３２  ブッシング
３３  コード
３４  イヤーピース
３５  スピーカユニット
６０  耳介
６０Ａ  舟状窩、    ６０Ｃ  耳甲介舟、    ６０Ｄ  耳甲介腔
６０Ｅ  珠間切痕
６２  耳輪脚、    ６２ａ  内壁
６３  耳輪、    ６３ａ  内壁
６５  対耳輪下脚、    ６５ａ  内壁
６６  対耳輪
６７  対耳珠
【図１】
2019145986.tif 000003
【図２】
2019145986.tif 000004
【図３】
2019145986.tif 000005
【図４】
2019145986.tif 000006
【図５】
2019145986.tif 000007
【図６】
2019145986.tif 000008
【図７】
2019145986.tif 000009
【図８】
2019145986.tif 000010
【図９】
2019145986.tif 000011
【図１０】
2019145986.tif 000012
【図１１】
2019145986.tif 000013
【図１２】
2019145986.tif 000014
【図１３】
2019145986.tif 000015
【図１４】
2019145986.tif 000016
【図１５】
2019145986.tif 000017